(57)【要約】【課題】本考案は、電力供給手段を要さず、着用者に不快感を与えることなくその呼吸信号を的確に検出し得る呼吸検出具を提供する。【解決手段】本考案の呼吸検出具１は、着用者Ｍの顔における鼻孔及び口の周りを非接触で覆い、周辺部を顔面に接触させる膨出形状としたマスク体２と、マスク体２における着用者Ｍの鼻孔及び口に対向する領域に穿設した呼気、吸気を流通させる開孔３と、開孔３の一部を塞ぐように固着した呼吸信号を検出するフィルム状の呼吸検出素子４と、マスク体２に設けた呼吸補助穴２ａと、マスク体２に設けた形状保持部１１と、マスク体２を着用者Ｍの顔面に取り付け保持する取り付け具５と、を有するものである。【選択図】図１
0003139399.tif 000002
【実用新案登録請求の範囲】
【請求項１】
着用者の顔における鼻孔及び口の周りを非接触で覆い、周辺部を顔面に接触させる形状としたマスク体と、
前記マスク体における着用者の鼻孔及び口に対向する領域に穿設した呼気、吸気を流通させる開孔と、
前記開孔の一部を塞ぐように固着した呼吸信号を検出する呼吸検出素子と、
前記マスク体を着用者の顔面に取り付け保持する取り付け具と、
を有することを特徴とする呼吸検出具。
【請求項２】
着用者の顔における鼻孔及び口の周りを非接触で覆い、周辺部を顔面に接触させる膨出形状としたマスク体と、
前記マスク体における着用者の鼻孔及び口に対向する領域に穿設した呼気、吸気を流通させる開孔と、
前記開孔の一部を塞ぐように固着した呼吸信号を検出するフィルム状の呼吸検出素子と、
前記マスク体に設けた呼吸補助穴と、
前記マスク体に設けた形状保持部と、
前記マスク体を着用者の顔面に取り付け保持する取り付け具と、
を有することを特徴とする呼吸検出具。
【請求項３】
着用者の顔における鼻孔及び口の周りを非接触で覆い、周辺部を顔面に接触させる膨出形状としたマスク体と、
前記マスク体における着用者の鼻孔及び口に対向する領域に穿設した呼気、吸気を流通させる開孔と、
前記開孔の一部を塞ぐように固着した呼吸信号を検出するフィルム状の呼吸検出素子と、
前記マスク体に設けた呼吸補助穴と、
前記マスク体に設けた形状保持部と、
前記マスク体を着用者の顔面に取り付け保持する取り付け具と、
前記マスク体の前面に前記開孔、呼吸検出素子の前方を空間を有しつつ囲むように配置した抜穴を有する保護カバーと、
を有することを特徴とする呼吸検出具。
【請求項４】
着用者の顔における鼻孔及び口の周りを非接触で覆い、周辺部を顔面に接触させる膨出形状としたマスク体と、
前記マスク体における着用者の鼻孔及び口に対向する領域に穿設した呼気、吸気を流通させる開孔と、
前記開孔を貫通する状態で配置されるとともに、前方に突出する一方の端面に閉塞部を有し、マスク体の前面近傍の筒部分に空気孔を設け、着用者の口、鼻に臨む他方の端面を開口した呼吸補助筒と、
前記呼吸補助筒に内装した呼吸信号を検出するフィルム状の呼吸検出素子と、
前記マスク体に設けた呼吸補助穴と、
前記マスク体に設けた形状保持部と、
前記マスク体を着用者の顔面に取り付け保持する取り付け具と、
を有することを特徴とする呼吸検出具。
【考案の詳細な説明】
【技術分野】
【０００１】
本考案は、呼吸検出具に関し、詳しくは、生体の口、鼻による呼吸の状態を検出する新規な呼吸検出具に関する。
【背景技術】
【０００２】
従来、生体の呼吸状態や体動等を常時検出する手段として、例えば炭素粉末を含浸させた電極をセンサとして口又は鼻孔の付近に配置し、呼吸による体動等を検出する技術、サーミスタをセンサとして同じく口又は鼻孔の付近に配置し、呼気・吸気の温度を検出する手段、歪みゲージや圧力センサを生体の適宜箇所に配置して呼吸に伴う生体表面の動きを検出する手段等が提案され、実用化されている。
【０００３】
このような従来の各手段においては、いずれもセンサ自体を動作させるための電池等を配備しなければならず、構成の複雑化を余儀なくされていた。
【０００４】
特許文献１には、略Ｔ状で、かつ、山形状に前方に膨出させた基体に対して、口による呼吸が直角に当るとともに、鼻による呼吸が平行に当る圧電フィルムからなる検出素子を組み込むとともに、基体の両端にこの基体を生体の顔面に当接保持するための紐状体を取り付けた構成の呼吸センサが提案されている。
【０００５】
この特許文献１の呼吸センサの場合、検出素子を生体の口、鼻の直近に配置する構成であるため、実際に顔面に着用して呼吸を行う際に生体にとっては不快感を伴うという危惧がある。
【特許文献１】国際公開第２００６／０９５６８７号パンフレット
【考案の開示】
【考案が解決しようとする課題】
【０００６】
本考案が解決しようとする問題点は、着用者に不快感を与えることなくその呼吸信号を的確に検出し得る呼吸検出具が従来存在しない点である。
【課題を解決するための手段】
【０００７】
本考案の呼吸検出具は、着用者の顔における鼻孔及び口の周りを非接触で覆い、周辺部を顔面に接触させる形状としたマスク体と、前記マスク体における着用者の鼻孔及び口に対向する領域に穿設した呼気、吸気を流通させる開孔と、前記開孔の一部を塞ぐように固着した呼吸信号を検出する呼吸検出素子と、前記マスク体を着用者の顔面に取り付け保持する取り付け具と、を有することを最も主要な特徴とする。
【考案の効果】
【０００８】
請求項１記載の考案によれば、取り付け具を使用して着用者の顔面における鼻孔及び口の周りを覆うようにマスク体を取り付けることで、不快感を与えることなく
呼吸検出素子によって、着用者の口によるか、又は鼻孔によるかを問わずその呼気、吸気の流れ状態に応じた呼吸信号を的確に検出することができる呼吸検出具を提供することができる。
【０００９】
請求項２記載の考案によれば、請求項１記載の考案と同様な効果を奏することに加えて、開孔内を通過する呼気、吸気の流量も調節することができ、本来の検出能を維持することができるとともに、常に一定の状態で顔面に取り付け安定した検出動作を発揮させることができる呼吸検出具を提供することができる。
【００１０】
請求項３記載の考案によれば、請求項２記載の考案と同様な効果を奏することに加えて、複数の抜穴を設けた保護カバーをマスク体に付加したことにより、呼吸検出素子に直接他の物体等が触れることが無くなり、接触外乱、ノイズを回避して的確な呼吸信号を得ることができる呼吸検出具を提供することができる。
【００１１】
請求項４記載の考案によれば、取り付け具を使用して着用者の顔面における鼻孔及び口の周りを覆うように取り付けることにより、電池等を用いることなく、かつ、不快感を与えることなく呼吸補助筒内に配置した呼吸検出素子によって空気孔を介して流通する着用者の口によるか、又は鼻孔によるかを問わない呼気、吸気の流れ状態に応じた呼吸信号を的確に検出することができる呼吸検出具を提供することができる。また、開孔内を通過する呼気、吸気の流量も調節することができ、呼吸検出素子本来の検出能を維持することができるとともに、常に一定の状態で顔面に取り付け安定した検出動作を発揮させることができる
【考案を実施するための最良の形態】
【００１２】
本考案は、着用者に不快感を与えることなくその呼吸信号を的確に検出し得る呼吸検出具を提供するという目的を有する。
【００１３】
本考案の呼吸検出具は、着用者の顔における鼻孔及び口の周りを非接触で覆い、周辺部を顔面に接触させる膨出形状としたマスク体と、前記マスク体における着用者の鼻孔及び口に対向する領域に穿設した呼気、吸気を流通させる開孔と、前記開孔の一部を塞ぐように固着した呼吸信号を検出するフィルム状の呼吸検出素子と、前記マスク体に設けた呼吸補助穴と、前記マスク体に設けた形状保持部と、前記マスク体を着用者の顔面に取り付け保持する取り付け具と、を有する構成により上記目的を実現した。
【実施例】
【００１４】
以下に、本考案の実施例に係る呼吸検出具について図面を参照して詳細に説明する。
【００１５】
（実施例１）
図１乃至図３を参照して本実施例１に係る呼吸検出具１について説明する。
【００１６】
本実施例１に係る呼吸検出具１は、図１に示すように、着用者Ｍの顔面における鼻孔及び口の周りを覆うように取り付ける例えば外形が概略楕円形状で、かつ、鼻孔及び口に対応する領域を前方に膨出させたマスク体２と、このマスク体２における着用者Ｍの鼻孔及び口に対向する領域に穿設した例えば円形の開孔３と、マスク体２の表面側において前記開孔３の一部を塞ぐように接着又はホットメルト（登録商標：日東紡績株式会社）等で水平配置に固着した薄型長方形状の呼吸検出素子４と、前記マスク体２の両側部に左右対称配置に取り付けられ、図２に示すように着用者Ｍの後頭部に掛け渡すことで前記マスク体２を着用者Ｍの顔面に取り付ける例えばゴム紐等からなる取り付け具５とを有している。
【００１７】
前記呼吸検出素子４は焦電効果・ピエゾ効果を有するピエゾフィルム（ＰＶＤＦ）により形成され、着用者Ｍの鼻孔、口による呼気、吸気の流れ状態を検出してこれを呼吸信号としてこの呼吸検出素子４に一端を取り付けた信号ケーブル６の他端側から送出するように構成している。前記焦電効果は、電気石、酒石酸などの誘電体結晶に熱を加えたとき、その表面の両端に電荷が生じる効果である。
【００１８】
前記マスク体２には、前記開孔３の下側に位置して呼吸補助穴２ａが設けられ、着用者Ｍの呼吸を容易にするとともに、前記開孔３を通過する呼気、吸気の通過量を適切に保ち、前記呼吸検出素子４本来の検出能を維持するように構成している。また、前記マスク体２には、前記開孔３の上側に位置してこのマスク体２の形状を一定に保持するための形状保持部１１を設けている。
【００１９】
この形状保持部１１としては、前記マスク体２を例えば柔軟合成樹脂材で形成した場合には凹陥部又は凸条部により、また、前記マスク体２を例えば布材で形成した場合には補強布を縫い込むような例を挙げることができる。
【００２０】
上述した本実施例１に係る呼吸検出具１によれば、取り付け具５を使用して着用者Ｍの顔面における鼻孔及び口の周りを覆うようにマスク体２を取り付けることにより、前記開孔３の部分に取り付けた呼吸検出素子４によってその焦電効果・ピエゾ効果を利用し、かつ、電池等を用いことなく着用者Ｍの鼻孔、口による呼気、吸気の流れ状態に応じた呼吸信号を検出し、信号ケーブル６から外部に送出することができる。
【００２１】
すなわち、着用者Ｍの口によるか、又は鼻孔によるかを問わずその呼気、吸気を的確に検出することができる。
【００２２】
また、前記マスク体２には、その前方に膨出した領域に前記開孔３を設け、かつ、形状保持部１１も設けているので、着用者Ｍはこの呼吸検出具１を常に一定の状態で顔面に取り付けることができる。
【００２３】
この結果、着用者Ｍの鼻孔や口は、図３に示すように、直接マスク体２に触れることは無く、従って、着用者Ｍの呼吸の妨げとなることはない。
【００２４】
更に、前記開孔３の下側に位置して呼吸補助穴２ａを設けているので、開孔３内を通過する呼気、吸気の流量も調節することができ、前記呼吸検出素子４本来の検出能を維持することができるという利点もある。
【００２５】
（実施例２）
次に、図４を参照して本考案の実施例２に係る呼吸検出具１Ａについて説明する。なお、本実施例２に係る呼吸検出具１Ａの構成は、上述した実施例１に係る呼吸検出具１の場合と略同様であるため、同一の要素には同一の符号を付して示す。
【００２６】
本実施例２に係る呼吸検出具１Ａは、同図に示すように、実施例１に係る呼吸検出具１に保護カバー７を付加したことが特徴である。
【００２７】
すなわち、本実施例２に係る呼吸検出具１Ａは、前記開孔３、呼吸検出素子４の前方を空間を有しつつ囲むようにして例えば半円筒状で、かつ、複数の抜穴８を設けた保護カバー７を前記マスク体２の前面に固着したことが特徴である。
【００２８】
前記保護カバー７は、その両端部を接着等によりマスク体２における開孔３の両側方に固着している。
【００２９】
本実施例２に係る呼吸検出具１Ａによっても、実施例１に係る呼吸検出具１の場合と同様な作用、効果を発揮させることができる。加えて、前記複数の抜穴８を設けた保護カバー７をマスク体２に付加したことにより、前記呼吸検出素子４に直接他の物体等が触れることが無くなり、接触外乱、ノイズを回避して呼吸検出素子４本来の検出能を維持しつつ安定した状態で着用者Ｍの呼吸信号を検出することが可能となる。
【００３０】
（実施例３）
次に、図５、図６を参照して本考案の実施例３に係る呼吸検出具１Ｂについて説明する。
【００３１】
本実施例３に係る呼吸検出具１Ｂは、上述した実施例１に係る呼吸検出具１の場合と同様なマスク体２の開孔３の部分に、この開孔３を貫通する状態で既述した場合と同様な呼吸検出素子４を内装した例えば略円筒状の呼吸補助筒９を接着等で取り付けたことが特徴である。
【００３２】
すなわち、前記呼吸補助筒９は、略円筒状で、マスク体２の前方に突出する一方の端面に閉塞部９ａを有し、マスク体２の前面近傍の筒部分に空気孔１０を設け、着用者Ｍの口、鼻に臨む他方の端面は開口した構成としている。前記空気孔１０は、熱のこもり現象によるパイロ圧電効果による出力抑制を回避するためのものである。
【００３３】
前記呼吸補助筒９内には、着用者Ｍの呼気、吸気の流通方向と同方向で、かつ、垂直配置に呼吸検出素子４を接着等の手段で固着している。
【００３４】
また、前記呼吸補助筒９におけるマスク体２の前面近傍の筒部分から呼吸検出素子４に接続した信号ケーブル６を導出している。この他の構成は、上述した実施例１に係る呼吸検出具１の場合と同様である。
【００３５】
上述した本実施例３に係る呼吸検出具１Ｂによっても、実施例１に係る呼吸検出具１の場合と同様な作用、効果を発揮させることができる。
【００３６】
すなわち、この呼吸検出具１Ｂを前記取り付け具５を使用して着用者Ｍの顔面における鼻孔及び口の周りを覆うように取り付けることにより、前記呼吸補助筒９内に配置した呼吸検出素子４によってその焦電効果・ピエゾ効果を利用して前記空気孔１０を介して流通する着用者Ｍの鼻孔、口による呼気、吸気の流れ状態に応じた呼吸信号を検出し、信号ケーブル６から外部に送出することができる。
【００３７】
このように本実施例３に係る呼吸検出具１Ｂによれば、着用者Ｍの口によるか、又は鼻孔によるかを問わずその呼気、吸気を的確に検出することができる。
【００３８】
この他、着用者Ｍはこの呼吸検出具１を常に一定の状態で顔面に取り付けることができること、呼吸補助穴２ａにより呼吸検出素子４本来の検出能を維持することができることは実施例１の場合と同様である。
【００３９】
更に、本実施例３に係る呼吸検出具１Ｂによれば、前記呼吸補助筒９内に呼吸検出素子４を内装しているので、実施例２の場合と同様、前記呼吸検出素子４に直接他の物体等が触れることが無くなり、接触外乱、ノイズを回避して呼吸検出素子４本来の検出能を維持しつつ安定した状態で着用者Ｍの呼吸信号を検出することが可能となる。
【００４０】
（応用例）
図７を参照して、本考案の応用例である呼吸検出記録装置２０について説明する。
この呼吸検出記録装置２０は、前記呼吸検出具１と、この呼吸検出具１の呼吸信号を処理する信号処理手段２１とにより構成している。
【００４１】
前記信号処理手段２１は、呼吸検出具１（又は呼吸検出具１Ａ、呼吸検出具１Ｂ）における呼吸検出素子４の呼吸信号を信号ケーブル６を介して取り込み増幅する増幅器２２と、増幅器２２により増幅された呼吸信号をデジタル信号に変換するＡ／Ｄ変換器２３と、Ａ／Ｄ変換器２３からのデジタル信号を取り込み波形処理して呼気、吸気の処理信号を生成する信号処理回路２４と、処理信号を記憶する記憶部２５と、各処理信号に応じた波形をプリント出力するプリンタ２６と、オン、オフ等を行う操作スイッチ２７とを有している。
【００４２】
この呼吸検出記録装置２０によれば、呼吸検出具１（又は呼吸検出具１Ａ、呼吸検出具１Ｂ）による着用者Ｍの口、鼻による呼吸に伴う呼吸信号の検出に始まり、検出結果の記憶、プリント出力までの一連の処理を的確に行うことができる。
【００４３】
図８を参照して、本考案の応用例である呼吸検出具３１について説明する。
この応用例に係る呼吸検出具３１は、同図に示すように、実施例１の場合と同様な呼吸検出具１の外面隅部に例えば長さ数ｃｍ程度の粘着テープ３２の一端側を貼り付け、この粘着テープ３２の他端側を例えば着用者Ｍの顎下部分に貼り付けてマスク体２をしっかりと着用者Ｍの顔面に固定するように構成したものである。
【００４４】
この呼吸検出具３１によれば、呼吸検出具３１を着用者Ｍの顔面に付けて呼吸検出中にマスク体２が位置ずれしてしまい、呼吸検出素子４による呼吸信号に外乱が生じることが無くなり、その呼吸信号をより的確に検出することが可能となる。
【００４５】
図４に示す呼吸検出具１Ａ及び図５に示す呼吸検出具１Ｂに関しても粘着テープ３２を付加することにより、図８に示す呼吸検出具３１の場合と同様な効果を発揮させることができる。
【００４６】
図９を参照して、本考案の他の応用例である呼吸検出具４１について説明する。この応用例に係る呼吸検出具４１は、同図に示すように、実施例１の場合と同様な呼吸検出具１のマスク体２に対して、呼吸補助穴２ａを複数個（例えば６個）追加したものである。
【００４７】
この呼吸検出具４１によれば、着用者Ｍの睡眠中において長時間にわたる呼吸でマスク体２の内部が蒸れて睡眠の妨げになってしまうことを複数個の呼吸補助穴２ａによる空気流出作用により防止でき、着用者Ｍの快適な睡眠確保に寄与することができる。
【００４８】
図４に示す呼吸検出具１Ａ及び図５に示す呼吸検出具１Ｂに関しても複数個の呼吸補助穴２ａを付加することにより、図９に示す呼吸検出具４１の場合と同様な効果を発揮させることができる。
【００４９】
図１０、図１１を参照して、本考案のさらに他の応用例である呼吸検出具５１について説明する。この呼吸検出具５１は、実施例１の場合と同様な呼吸検出具１のマスク体２に対して、ドーム状呼吸保護部材５２を付加したことが特徴である。
【００５０】
前記ドーム状呼吸保護部材５２は、図１１に示すように、マスク体２の開孔３に嵌着する筒状体５３と、この筒状体５３に開口部を取り付けた例えばメッシュ状布材又は多孔樹脂材等により円形ドーム状に形成したドーム部５４と、を具備し、さらに、前記呼吸検出素子４を配置することにより構成している。
【００５１】
この呼吸検出具５１によれば、着用者Ｍの睡眠中において当該着用者Ｍの寝返り等で呼吸検出具５１が寝具等に接触したような場合でも、前記呼吸検出素子４がドーム状呼吸保護部材５２によりガードされているので、着用者Ｍの特に呼気の流れが妨げられることがなく、呼吸検出素子４による呼吸信号に外乱が生じることが無くなり、その呼吸信号をより的確に検出することが可能となる。
【００５２】
図４に示す呼吸検出具１Ａ及び図５に示す呼吸検出具１Ｂに関しても前記ドーム状呼吸保護部材５２を付加することにより、図１０に示す呼吸検出具４１の場合と同様な効果を発揮させることができる。
【産業上の利用可能性】
【００５３】
本考案は、生体の睡眠時等における呼吸の正常異常の検査、いびき、無呼吸等の検査用として広範に適用可能である。
【図面の簡単な説明】
【００５４】
【図１】本考案の実施例１に係る呼吸検出具を含む呼吸検出装置の構成を示す概略斜視図である。
【図２】本実施例１に係る呼吸検出具の着用者への取り付け状態を示す斜視図である。
【図３】本実施例１に係る呼吸検出具の着用者への取り付け状態を示す概略断面図である。
【図４】本考案の実施例２に係る呼吸検出具の斜視図である。
【図５】本考案の実施例３に係る呼吸検出具の正面側から見た斜視図である。
【図６】本実施例３に係る呼吸検出具の背面側から見た斜視図である。
【図７】本考案の応用例に係る呼吸検出装置の全体構成を示すブロック図である。
【図８】本考案の実施例１に係る呼吸検出具の応用例の斜視図である。
【図９】本考案の実施例１に係る呼吸検出具の他の応用例の斜視図である。
【図１０】本考案の実施例１に係る呼吸検出具のさらに他の応用例の斜視図である。
【図１１】本考案の実施例１に係る呼吸検出具のさらに他の応用例におけるドーム状呼吸保護部材の概略断面図である。
【符号の説明】
【００５５】
１    呼吸検出具
１Ａ  呼吸検出具
１Ｂ  呼吸検出具
２    マスク体
２ａ  呼吸補助穴
３    開孔
４    呼吸検出素子
５    取り付け具
６    信号ケーブル
７    保護カバー
８    抜穴
９    呼吸補助筒
９ａ  閉塞部
１０    空気孔
１１    形状保持部
２０    呼吸検出記録装置
２１    信号処理手段
２２    増幅器
２３    Ａ／Ｄ変換器
２４    信号処理回路
２５    記憶部
２６    プリンタ
２７    操作スイッチ
３１    呼吸検出具
３２    粘着テープ
４１    呼吸検出具
５１    呼吸検出具
５２    ドーム状呼吸保護部材
５３    筒状体
５４    ドーム部
Ｍ    着用者
【図１】
0003139399.tif 000003
【図２】
0003139399.tif 000004
【図３】
0003139399.tif 000005
【図４】
0003139399.tif 000006
【図５】
0003139399.tif 000007
【図６】
0003139399.tif 000008
【図７】
0003139399.tif 000009
【図８】
0003139399.tif 000010
【図９】
0003139399.tif 000011
【図１０】
0003139399.tif 000012
【図１１】
0003139399.tif 000013